(57)【要約】  データ伝送方法、端末機器及びネットワーク機器が提供される。この方法は、パケットデータコンバージェンスプロトコルＰＤＣＰ層のデータ複製機能がアクティブ状態からオフ状態に切り替えられたとき、このＰＤＣＰ層のプロトコルデータユニットＰＤＵを伝送するための第１のエンティティを決定するステップと、この第１のエンティティを介して、ネットワーク機器にこのＰＤＵを送信するステップと、を含む。本発明の実施例に係るデータ伝送方法によれば、端末機器は、ＰＤＣＰ層のデータ複製機能がアクティブ状態からオフ状態に切り替えられたとき、このＰＤＣＰ層のＰＤＵを伝送するためのＲＬＣエンティティ（ＬＣＧ上にマッピングされたＲＬＣエンティティ、又はＬＣＧ上にマッピングする必要があるＲＬＣエンティティ）を決定し、さらに、ＬＣＧ上にマッピングされたＲＬＣエンティティ上でＰＤＣＰ層のＰＤＵを伝送することができ、データ伝送の成功率を効果的に向上させることができる。
2020532888.tif 000002
【特許請求の範囲】
【請求項１】
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するステップと、
前記第１のエンティティを介して、ネットワーク機器に前記ＰＤＵを送信するステップと、を含む
ことを特徴とするデータ伝送方法。
【請求項２】
前記ＰＤＣＰ層のプロトコルデータユニットＰＤＵを伝送するための第１のエンティティを決定するステップは、
前記データ複製機能がアクティブ状態にあるときに前記ＰＤＵに対応するＲＬＣエンティティである少なくとも１つの第２のエンティティを取得するステップと、
前記少なくとも１つの第２のエンティティにおいて、前記第１のエンティティを決定するステップと、を含む
ことを特徴とする請求項１に記載のデータ伝送方法。
【請求項３】
前記少なくとも１つの第２のエンティティにおいて、前記第１のエンティティを決定するステップは、
前記少なくとも１つの第２のエンティティにおいて、前記論理チャネルグループＬＣＧ上にマッピングされたＲＬＣエンティティを前記第１のエンティティとして決定するステップを含む
ことを特徴とする請求項２に記載のデータ伝送方法。
【請求項４】
前記少なくとも１つの第２のエンティティにおいて、前記第１のエンティティを決定するステップは、
前記少なくとも１つの第２のエンティティの並び順である第１の順序に従って前記第１のエンティティを決定するステップを含む
ことを特徴とする請求項２に記載のデータ伝送方法。
【請求項５】
前記第１の順序は、ＲＬＣエンティティに対応する論理チャネルの優先度に従って、前記少なくとも１つの第２のエンティティを高から低に順序付けて形成されたシーケンスである
ことを特徴とする請求項４項に記載のデータ伝送方法。
【請求項６】
前記ＰＤＣＰ層のプロトコルデータユニットＰＤＵを送信するための第１のエンティティを決定するステップは、
ネットワーク機器により送信された指示情報に基づいて前記第１のエンティティを決定するステップを含み、
前記指示情報は、前記第１のエンティティを指示するために使用される
ことを特徴とする請求項１に記載のデータ伝送方法。
【請求項７】
前記ネットワーク機器により送信された指示情報に基づいて前記第１のエンティティを決定する前に、
前記ネットワーク機器により送信された前記指示情報を受信するステップをさらに含む
ことを特徴とする請求項６に記載のデータ伝送方法。
【請求項８】
前記ネットワーク機器により送信された指示情報を受信するステップは、
前記ネットワーク機器により送信された無線リソース制御ＲＲＣシグナリングを受信するステップを含み、
前記ＲＲＣシグナリングには、前記指示情報が含まれる
ことを特徴とする請求項７に記載のデータ伝送方法。
【請求項９】
指示情報を生成するステップと、
端末機器に前記指示情報を送信するステップと、を含み、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される
ことを特徴とするデータ伝送方法。
【請求項１０】
前記ネットワーク機器に指示情報を送信するステップは、
前記端末機器に無線リソース制御ＲＲＣシグナリングを送信するステップを含み、
前記ＲＲＣシグナリングには、前記指示情報が含まれる
ことを特徴とする請求項９に記載のデータ伝送方法。
【請求項１１】
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するための決定ユニットと、
前記第１のエンティティを介して、ネットワーク機器に前記ＰＤＵを送信するための送受信ユニットと、を備える
ことを特徴とする端末機器。
【請求項１２】
前記決定ユニットは具体的に、
前記データ複製機能がアクティブ状態にあるときに前記ＰＤＵに対応するＲＬＣエンティティである少なくとも１つの第２のエンティティを取得し、
前記少なくとも１つの第２のエンティティにおいて、前記第１のエンティティを決定するために使用される
ことを特徴とする請求項１１に記載の端末機器。
【請求項１３】
前記決定ユニットはより具体的に、
前記少なくとも１つの第２のエンティティにおいて、前記論理チャネルグループＬＣＧ上にマッピングされたＲＬＣエンティティを前記第１のエンティティとして決定するために使用される
ことを特徴とする請求項１２に記載の端末機器。
【請求項１４】
前記決定ユニットはより具体的に、
前記少なくとも１つの第２のエンティティの並び順である第１の順序に従って前記第１のエンティティを決定するために使用される
ことを特徴とする請求項１２に記載の端末機器。
【請求項１５】
前記第１の順序は、ＲＬＣエンティティに対応する論理チャネルの優先度に従って、前記少なくとも１つの第２のエンティティを高から低に順序付けて形成されたシーケンスである
ことを特徴とする請求項１４に記載の端末機器。
【請求項１６】
前記決定ユニットは具体的に、
ネットワーク機器により送信された指示情報に基づいて前記第１のエンティティを決定するために使用され、前記指示情報は、前記第１のエンティティを指示するために使用される
ことを特徴とする請求項１１に記載の端末機器。
【請求項１７】
前記送受信ユニットはまた、ネットワーク機器により送信された指示情報に基づいて前記第１のエンティティを決定する前に、前記ネットワーク機器により送信された前記指示情報を受信するために使用される
ことを特徴とする請求項１６に記載の端末機器。
【請求項１８】
前記送受信ユニットは具体的に、
前記ネットワーク機器により送信された無線リソース制御ＲＲＣシグナリングを受信するために使用され、前記ＲＲＣシグナリングには、前記指示情報が含まれる
ことを特徴とする請求項１７に記載の端末機器。
【請求項１９】
指示情報を生成するための生成ユニットと、
端末機器に前記指示情報を送信するための送信ユニットと、を備え、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される
ことを特徴とするネットワーク機器。
【請求項２０】
前記送信ユニットは具体的に、
前記端末機器に無線リソース制御ＲＲＣシグナリングを送信するために使用され、前記ＲＲＣシグナリングには、前記指示情報が含まれる
ことを特徴とする請求項１９に記載のネットワーク機器。
【発明の詳細な説明】
【技術分野】
【０００１】
本発明の実施例は、通信分野に関し、より具体的に、データ伝送方法、端末機器及びネットワーク機器に関する。
【背景技術】
【０００２】
パケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）層は、データリンク層に属し、制御プレーン上の無線リソース制御（Ｒａｄｉｏ  Ｒｅｓｏｕｒｃｅ  Ｃｏｎｔｒｏｌ，ＲＲＣ）メッセージと、ユーザプレーン上のインターネットプロトコル（ＩＰ）パケットとを処理するために使用される。ユーザプレーン上で、ＰＤＣＰサブ層は上位層からのＩＰデータパケットを取得した後、ＩＰデータパケットに対してヘッダ圧縮及び暗号化してから、無線リンク層制御プロトコル（Ｒａｄｉｏ  Ｌｉｎｋ  Ｃｏｎｔｒｏｌ，ＲＬＣ）サブ層に伝送することができる。
【０００３】
従来技術では、ＰＤＣＰ層のデータ複製機能がアクティブ状態にあるとき、データは複製されるため、各ＲＬＣエンティティ上のデータ量は必然的に同じである。各ＲＬＣエンティティに対応する論理チャネルに対して１つのバッファ状態報告（Ｂｕｆｆｅｒ  Ｓｔａｔｕｓ  Ｒｅｐｏｒｔ，ＢＳＲ）が報告される場合、大量のシグナリングオーバーヘッドが発生される。
【０００４】
上記問題を解決するために、ロングタームエボリューション（Ｌｏｎｇ  Ｔｅｒｍ  Ｅｖｏｌｕｔｉｏｎ，ＬＴＥ）技術は、論理チャネルグループ（Ｌｏｇｉｃａｌ  Ｃｈａｎｎｅｌ  Ｇｒｏｕｐ，ＬＣＧ）の概念を導入している。具体的に、ＰＤＣＰのデータ複製機能がアクティブ状態にある場合、ネットワーク機器は、第１のＲＬＣエンティティをあるＬＣＧ上にマッピング（即ち、第１のＲＬＣエンティティに対応する論理チャネルをあるＬＣＧ上に配置）し、第２のＲＬＣエンティティは、あるＬＣＧ上にマッピングされない（即ち、第２のＲＬＣエンティティに対応する論理チャネルはＬＣＧ上に配置しない）。つまり、第１のＲＬＣエンティティはＢＳＲ内に含まれるが、第２のＲＬＣエンティティはＢＳＲ内に含まれない。
【０００５】
しかし、上記技術手段では、ＰＤＣＰ層のデータ複製機能がオフされると、端末機器は第１のＲＬＣエンティティをオフする可能性があり、さらに、ネットワークは第１のＲＬＣエンティティを含むＢＳＲを取得できず、データ伝送の成功率が低下される。
【発明の概要】
【発明が解決しようとする課題】
【０００６】
データ伝送の成功率を効果的に向上させることができるデータ伝送方法、端末機器及びネットワーク機器が提供される。
【課題を解決するための手段】
【０００７】
第１の態様によれば、データ伝送方法が提供され、前記方法は、
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するステップと、
前記第１のエンティティを介して、ネットワーク機器に前記ＰＤＵを送信するステップと、を含む。
【０００８】
本発明の実施例では、端末機器は、ＰＤＣＰ層のデータ複製機能がアクティブ状態からオフ状態に切り替えられたとき、このＰＤＣＰ層のＰＤＵを伝送するためのＲＬＣエンティティ（ＬＣＧ上にマッピングされたＲＬＣエンティティ、又はＬＣＧ上にマッピングする必要があるＲＬＣエンティティ）を決定し、さらに、ＬＣＧ上にマッピングされたＲＬＣエンティティ上でＰＤＣＰ層のＰＤＵを伝送することができ、データ伝送の成功率を効果的に向上させることができる。
【０００９】
幾つかの可能な実現形態では、前記ＰＤＣＰ層のプロトコルデータユニットＰＤＵを伝送するための第１のエンティティを決定するステップは、
前記データ複製機能がアクティブ状態にあるときに前記ＰＤＵに対応するＲＬＣエンティティである少なくとも１つの第２のエンティティを取得するステップと、
前記少なくとも１つの第２のエンティティにおいて、前記第１のエンティティを決定するステップと、を含む。
【００１０】
幾つかの可能な実現形態では、前記少なくとも１つの第２のエンティティにおいて、前記第１のエンティティを決定するステップは、
前記少なくとも１つの第２のエンティティにおいて、前記論理チャネルグループＬＣＧ上にマッピングされたＲＬＣエンティティを前記第１のエンティティとして決定するステップを含む。
【００１１】
本発明の実施例では、端末機器は、ＰＤＣＰ層のデータ複製機能がアクティブ状態からオフ状態に切り替えられたとき、ＬＣＧ上にマッピングされたＲＬＣエンティティを決定し、さらに、ＬＣＧ上にマッピングされたＲＬＣエンティティ上でＰＤＣＰ層のＰＤＵを伝送することができ、データ伝送の成功率を効果的に向上させることができる。
【００１２】
幾つかの可能な実現形態では、前記少なくとも１つの第２のエンティティにおいて、前記第１のエンティティを決定するステップは、
前記少なくとも１つの第２のエンティティの並び順である第１の順序に従って前記第１のエンティティを決定するステップを含む。
【００１３】
本発明の実施例では、端末機器は、ＰＤＣＰ層のデータ複製機能がアクティブ状態からオフ状態に切り替えられたとき、ＬＣＧ上にマッピングする必要があるＲＬＣエンティティを決定することができ、さらに、ネットワーク機器のマッピング動作の後に、端末機器は、ＬＣＧ上にマッピングされたＲＬＣエンティティ上でＰＤＣＰ層のＰＤＵを伝送することができ、データ伝送の成功率を効果的に向上させる。
【００１４】
幾つかの可能な実現形態では、前記第１の順序は、ＲＬＣエンティティに対応する論理チャネルの優先度に従って、前記少なくとも１つの第２のエンティティを高から低に順序付けて形成されたシーケンスである。
【００１５】
幾つかの可能な実現形態では、前記ＰＤＣＰ層のプロトコルデータユニットＰＤＵを送信するための第１のエンティティを決定するステップは、
ネットワーク機器により送信された指示情報に基づいて前記第１のエンティティを決定するステップを含み、前記指示情報は、前記第１のエンティティを指示するために使用される。
【００１６】
幾つかの可能な実現形態では、前記ネットワーク機器により送信された指示情報に基づいて前記第１のエンティティを決定する前に、前記方法は、
前記ネットワーク機器により送信された前記指示情報を受信するステップをさらに含む。
【００１７】
幾つかの可能な実現形態では、前記ネットワーク機器により送信された指示情報を受信するステップは、
前記ネットワーク機器により送信された無線リソース制御ＲＲＣシグナリングを受信するステップを含み、前記ＲＲＣシグナリングには、前記指示情報が含まれる。
【００１８】
第２の態様によれば、データ伝送方法が提供され、前記方法は、
指示情報を生成するステップと、
端末機器に前記指示情報を送信するステップと、を含み、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される。
【００１９】
幾つかの可能な実現形態では、前記ネットワーク機器に指示情報を送信するステップは、
前記端末機器に無線リソース制御ＲＲＣシグナリングを送信するステップを含み、前記ＲＲＣシグナリングには、前記指示情報が含まれる。
【００２０】
第３の態様によれば、端末機器が提供され、前記端末機器は、
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するための決定ユニットと、
前記第１のエンティティを介して、ネットワーク機器に前記ＰＤＵを送信するための送受信ユニットと、を備える。
【００２１】
第４の態様によれば、端末機器が提供され、前記端末機器は、
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するためのプロセッサーと、
前記第１のエンティティを介して、ネットワーク機器に前記ＰＤＵを送信するための送受信機と、を備える。
【００２２】
第５の態様によれば、ネットワーク機器が提供され、前記端末機器は、
指示情報を生成するための生成ユニットと、
端末機器に前記指示情報を送信するための送信ユニットと、を備え、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される。
【００２３】
第６の態様によれば、ネットワーク機器が提供され、前記端末機器は、
指示情報を生成するためのプロセッサーと、
端末機器に前記指示情報を送信するための送受信機と、を備え、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される。
【００２４】
第７の態様によれば、上記第１の態様又は第２の態様の方法の実施例を実行するための命令を含むコンピュータプログラムを記憶するためのコンピュータ読み取り可能な媒体が提供される。
【００２５】
第８の態様によれば、入力インターフェース、出力インターフェース、少なくとも１つのプロセッサー、メモリを備えるコンピュータチップが提供され、前記プロセッサーは、前記メモリ内のコードを実行するために使用され、前記コードが実行されるとき、前記プロセッサーは、上記第１の態様又は第２の態様のデータ伝送方法において端末機器又はネットワーク機器により実行される各プロセスを実現することができる。
【００２６】
第９の態様によれば、前述に記載のネットワーク機器と、前述に記載の端末機器とを備える通信システムが提供される。
【図面の簡単な説明】
【００２７】
【図１】本発明の実施例に係るＰＤＣＰ層のデータ伝送方法の概略フローチャートである。
【図２】本発明の実施例に係るデータ伝送方法の概略フローチャートである。
【図３】本発明の実施例に係る端末機器の概略ブロック図である。
【図４】本発明の実施例に係る端末機器の別の概略ブロック図である。
【図５】本発明の実施例に係るネットワーク機器の概略ブロック図である。
【図６】本発明の実施例に係るネットワーク機器の別の概略ブロック図である。
【発明を実施するための形態】
【００２８】
以下、図面を参照しながら、本発明の実施例における技術手段を説明する。
【００２９】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、５Ｇ通信システム、ロングタームエボリューション（Ｌｏｎｇ  Ｔｅｒｍ  Ｅｖｏｌｕｔｉｏｎ，ＬＴＥ）、ＬＴＥ時分割複信（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）等のような様々な通信システムに適用されることが理解されるべきである。
【００３０】
本発明は、ネットワーク機器及び端末機器に関連して各実施例を説明している。
【００３１】
ここで、ネットワーク機器は、基地局又は基地局機能を有するネットワーク側機器であってもよい。例えば、ネットワーク機器は、ＧＳＭシステム又はＣＤＭＡにおける基地局（Ｂａｓｅ  Ｔｒａｎｓｃｅｉｖｅｒ  Ｓｔａｔｉｏｎ，ＢＴＳ）であってもよいし、ＷＣＤＭＡシステムにおける基地局（ＮｏｄｅＢ，ＮＢ）であってもよいし、ＬＴＥシステムにおける進化型基地局（Ｅｖｏｌｖｅｄ  Ｎｏｄｅ  Ｂ，ｅＮＢ又はｅＮｏｄｅＢ）であってもよく、又はネットワーク機器は、中継局、アクセスポイント、車載機器、ウェアラブル機器及び未来５Ｇネットワークにおけるネットワーク機器等であってもよい。
【００３２】
端末機器は、アクセス端末、ユーザ機器（Ｕｓｅｒ  Ｅｑｕｉｐｍｅｎｔ，ＵＥ）、ユーザユニット、ユーザ局、移動局、モバイルステーション、遠隔局、遠隔端末、モバイル機器、ユーザ端末、端末、無線通信機器、ユーザエージェント又はユーザ装置と称されてもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器等であってもよい。
【００３３】
新しい無線（Ｎｅｗ  Ｒａｄｉｏ，ＮＲ）技術に基づき、キャリアアグリゲーション（Ｃａｒｒｉｅｒ  Ａｇｇｒｅｇａｔｉｏｎ，ＣＡ）シーンにおいて、本発明の実施例は、パケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）層のデータ複製機能を利用してデータ複製（ｄａｔａ  ｄｕｐｌｉｃａｔｉｏｎ）伝送を行うことができるデータ伝送方法を提案する。本発明の実施例に係るデータ伝送方法によれば、データ伝送の信頼性を効果的に向上させることができる。
【００３４】
以下、本発明の実施例におけるＣＡシーンでの複製データの伝送方法を図１を参照して簡単に紹介する。
【００３５】
図１は、本発明の実施例に係るＰＤＣＰ層のデータ伝送方法の概略フローチャートである。
【００３６】
図１に示すように、ＰＤＣＰ層で生成されるデータ（ＰＤＵ及びＰＤＵの複製データ）は、それぞれ２つの異なるＲＬＣエンティティ（ＲＬＣエンティティａ及びＲＬＣエンティティｂ）に伝送され、この２つの異なるＲＬＣエンティティは、同じメディアアクセス制御（Ｍｅｄｉａ  Ａｃｃｅｓｓ  Ｃｏｎｔｒｏｌ，ＭＡＣ）層エンティティ（ＭＡＣエンティティ）を介して異なる物理層キャリア（第１の物理層キャリア及び第２の物理層キャリア）にマッピングされる。本発明の実施例では、ＰＤＣＰ層で生成されるデータ（ＰＤＵ及びＰＤＵの複製データ）は、それぞれ２つの異なるＲＬＣエンティティを介して異なる物理層キャリア上にマッピングされ、周波数ダイバーシティ利得の目的を達成することができ、さらに、データ伝送の信頼性を向上させることができることが理解できる。
【００３７】
具体的に、各サブ層は、プロトコルデータユニットのデータに従って、受信側の指定の層に送信される。ここで、各サブ層に入って処理されないデータは、サービスデータユニット（ｓｅｒｖｉｃｅ  ｄａｔａ  ｕｎｉｔ、ＳＤＵ）と称され、サブ層で処理されて特定のフォーマットを形成するデータは、プロトコルデータユニット（Ｐｒｏｔｏｃｏｌ  Ｄａｔａ  Ｕｎｉｔ，ＰＤＵ）と称される。つまり、ＳＤＵは、上位層プロトコルから下位層プロトコルに転送される情報ユニットであり、即ち、ＳＤＵの元のデータは、プロトコルの上位層のＰＤＵである。言い換えれば、この層で形成されるＰＤＵは、即ち次の層のＳＤＵである。
【００３８】
例えば、各端末機器の各論理チャネルには、１つのＲＬＣエンティティ（ＲＬＣ  ｅｎｔｉｔｙ）があり、ＲＬＣエンティティがＰＤＣＰ層から受信したデータ、又はＰＤＣＰ層に送信するデータは、ＲＬＣ  ＳＤＵ（又はＰＤＣＰ  ＰＤＵ）と称されてもよい。ＲＬＣエンティティがＭＡＣ層から受信したデータ、又はＭＡＣ層に送信するデータは、ＲＬＣ  ＰＤＵ（又はＭＡＣ  ＳＤＵ）と称されてもよい。
【００３９】
本発明の実施例では、ＲＬＣ層は、ＰＤＣＰ層とＭＡＣ層の間に位置し、ＲＬＣ層は、サービスアクセスポイント（Ｓｅｒｖｉｃｅ  Ａｃｃｅｓｓ  Ｐｏｉｎｔ，ＳＡＰ）を介してＰＤＣＰ層と通信し、論理チャネルを介してＭＡＣ層と通信することができることが理解されるべきである。しかし、本発明の実施例はこれに限定されない。
【００４０】
本発明の実施例では、ＰＤＣＰ層のデータ複製がアクティブ状態にあるとき、ＰＤＣＰ層のＰＤＵ（即ち、ＰＤＣＰ  ＰＤＵ）及びＰＤＣＰ  ＰＤＵの複製データは、異なるＲＬＣエンティティを介して異なる物理層キャリア上にマッピングされ、データ伝送の信頼性を効果的に向上させることができる。
【００４１】
しかし、ＰＤＣＰ  ＰＤＵのデータ量とＰＤＣＰ  ＰＤＵの複製データのデータ量が同じであるため、端末機器は、ＰＤＣＰ  ＰＤＵに対応するＲＬＣエンティティ、又はＰＤＣＰ  ＰＤＵの複製データに対応するＲＬＣエンティティをあるＬＣＧ上にマッピングすればよい。つまり、１つのＲＬＣエンティティだけがバッファ状態報告（Ｂｕｆｆｅｒ  Ｓｔａｔｕｓ  Ｒｅｐｏｒｔ，ＢＳＲ）に含まれる。
【００４２】
これにより、ＰＤＣＰ層のデータ複製がオフされたとき、ネットワークが選択されたＲＬＣエンティティのＢＳＲを取得し続けるために、ＬＣＧ上にマッピングされないＲＬＣエンティティを選択してＰＤＣＰ層のＰＤＵを伝送せず、あるＬＣＧ上にマッピングされたＲＬＣエンティティを選択してこのＰＤＣＰ  ＰＤＵを伝送すべきである。つまり、端末機器がＬＣＧ上にマッピングされないＲＬＣエンティティを使用してこのＰＤＣＰ  ＰＤＵを伝送すると、データ伝送が失敗し、さらに、データ伝送の成功率が低下される可能性がある。図１を参照すると、ＰＤＣＰのデータ複製機能がアクティブ状態にある場合、ネットワーク機器が、ＲＬＣエンティティｂをＬＣＧ上にマッピングせず、ＲＬＣエンティティａをあるＬＣＧ上にマッピングする。端末機器がＲＬＣエンティティｂを選択してこのＰＤＣＰ  ＰＤＵを伝送すると、データ伝送が失敗する可能性がある。
【００４３】
したがって、本発明の実施例は、主にＣＡシーンにおいて、ＰＤＣＰ層のデータ複製機能がアクティブ状態からオフ状態に切り替えられたとき、端末機器がこのＰＤＣＰ層のＰＤＵを伝送するための、ＬＣＧ上にマッピングされたＲＬＣエンティティを如何に決定するかに対し、データ伝送の成功率を向上させることができるデータ伝送方法をさらに提案する。
【００４４】
図２は、本発明の実施例に係るデータ伝送方法１００の概略フローチャートである。
【００４５】
図２に示すように、この方法１００は、ステップ１１０及びステップ１２０を含む。
【００４６】
ステップ１１０において、ＰＤＣＰ層のデータ複製機能がアクティブ状態からオフ状態に切り替えられたとき、このＰＤＣＰ層のＰＤＵを伝送するための第１のエンティティを決定する。
【００４７】
ステップ１２０において、この第１のエンティティを介して、ネットワーク機器にこのＰＤＵを送信する。
【００４８】
具体的に、ＰＤＣＰ層のデータ複製機能がアクティブ状態からオフ状態に切り替えられたとき、端末機器は、このＰＤＣＰ層のＰＤＵを伝送するための第１のエンティティを決定し、この第１のエンティティを介して、ネットワーク機器にこのＰＤＵを送信する。
【００４９】
つまり、端末機器により決定されたこのＲＬＣエンティティは、ネットワーク機器にこのＰＤＵを送信するために使用される。言い換えれば、端末機器により決定されたこの第１のエンティティは、あるＬＣＧ上にマッピングされているＲＬＣエンティティであってもよく、ＬＣＧ上にマッピングされていないＲＬＣエンティティであってもい。なお、端末機器により決定されたこの第１のエンティティがＬＣＧ上にマッピングされていないＲＬＣエンティティである場合、端末機器は、ＰＤＣＰ層のＰＤＵを伝送する前に、まずネットワーク機器がこの第１のエンティティをＬＣＧ上にマッピングするまで待機する必要がある。
【００５０】
図１を参照すると、ＰＤＣＰのデータ複製機能がアクティブ状態にある場合、ネットワーク機器は、ＲＬＣエンティティａをあるＬＣＧ上にマッピングし、ＲＬＣエンティティｂはＬＣＧ上にマッピングしていない。例えば、端末機器がＲＬＣエンティティａをこの第１のエンティティとして選択した場合、端末機器は、直接にこのＲＬＣエンティティａを介してネットワーク機器にＰＤＣＰ層のＰＤＵを送信することができる。また例えば、端末機器がＲＬＣエンティティｂをこの第１のエンティティとして選択した場合、端末機器は、ネットワーク機器がこのＲＬＣエンティティｂをあるＬＣＧ上にマッピングするまで待機し、このＲＬＣエンティティｂを介してネットワーク機器にＰＤＣＰ層のＰＤＵを送信する必要がある。
【００５１】
以上の分析から分かるように、本発明の実施例では、端末機器は、ＰＤＣＰ層のデータ複製機能がアクティブ状態からオフ状態に切り替えられたとき、このＰＤＣＰ層のＰＤＵを伝送するためのＲＬＣエンティティ（ＬＣＧ上にマッピングされたＲＬＣエンティティ、又はＬＣＧ上にマッピングする必要があるＲＬＣエンティティ）を決定し、さらに、ＬＣＧ上にマッピングされたＲＬＣエンティティ上でＰＤＣＰ層のＰＤＵを伝送することができ、データ伝送の成功率を効果的に向上させることができる。
【００５２】
一実施例として、端末機器は、このデータ複製機能がアクティブ状態にあるときにこのＰＤＵに対応するＲＬＣエンティティである少なくとも１つの第２のエンティティを取得し、上記少なくとも１つの第２のエンティティにおいて、この第１のエンティティを決定することができる。
【００５３】
言い換えれば、本発明の実施例では、端末機器は、上記少なくとも１つの第２のエンティティを取得することができ、上記少なくとも１つの第２のエンティティには、第３のエンティティ及び第４のエンティティが含まれてもよく、ここで、この第３のエンティティは、このデータ複製機能がアクティブ状態にあるときにこのＰＤＣＰ  ＰＤＵに対応するＲＬＣエンティティであってもよく、この第４のエンティティは、このデータ複製機能がアクティブ状態にあるときのこのＰＤＣＰ  ＰＤＵの複製データに対応するＲＬＣエンティティである。ここで、本発明の実施例における第３のエンティティは、ＰＤＣＰ  ＰＤＵを伝送するためのＲＬＣエンティティ（論理チャネル）であり、第４のエンティティは、ＰＤＣＰ  ＰＤＵの複製データを伝送するためのＲＬＣエンティティ（論理チャネル）である。図１を参照すると、この第３のエンティティは、ＲＬＣエンティティａであり、この第４のエンティティは、ＲＬＣエンティティｂである。
【００５４】
例えば、端末機器は、上記少なくとも１つの第２のエンティティにおいて、この論理チャネルグループＬＣＧ上にマッピングされたＲＬＣエンティティをこの第１のエンティティとして決定することができる。本発明の実施例では、端末機器は、ＬＣＧ上にマッピングされた１つのＲＬＣエンティティを直接選択してＰＤＣＰ層のＰＤＵを伝送することができ、データ伝送の成功率を効果的に向上させることができることを理解されたい。
【００５５】
また例えば、端末機器は、第１の順序に従ってこの第１のエンティティを決定することができ、ここで、この第１の順序は、上記少なくとも１つの第２のエンティティの並び順である。この第１の順序は、ネットワーク機器により端末機器に指示されてもよいし、事前構成の方式で端末機器のメモリ内に記憶されてもよいし、プロトコル内で規定されてもよいし、ネットワーク機器および端末機器によってネゴシエートされる方式で決定されてもよいことが理解されるべきである。本発明の実施例は、特に限定をしない。
【００５６】
限定ではなく例として、この第１の順序は、ＲＬＣエンティティに対応する論理チャネルの優先度に従って、上記少なくとも１つの第２のエンティティを高から低に順序付けて形成されたシーケンスである。ここで、この第１の順序をプロトコル内に規定し、又はネットワーク機器及び端末機器内に事前に構成する。
【００５７】
本発明の実施例では、端末機器は、ＰＤＣＰ層のデータ複製機能がアクティブ状態からオフ状態に切り替えられたとき、ＬＣＧ上にマッピングする必要があるＲＬＣエンティティを決定することができ、さらに、ネットワーク機器のマッピング動作の後に、端末機器は、ＬＣＧ上にマッピングされたＲＬＣエンティティ上でＰＤＣＰ層のＰＤＵを伝送することができ、データ伝送の成功率を効果的に向上させる。
【００５８】
本発明の実施例では、端末機器によりこの論理チャネルグループＬＣＧ上にマッピングされたＲＬＣエンティティをこの第１のエンティティとして決定する際に、上記少なくとも１つの第２のエンティティにおいて１つのＲＬＣエンティティだけがＬＣＧ上にマッピングされている場合、端末機器は、このＬＣＧ上にマッピングされているＲＬＣエンティティをこの第１のエンティティとして選択することができることが理解されるべきである。上記少なくとも１つの第２のエンティティにおいて複数のＲＬＣエンティティがＬＣＧ上にマッピングされた場合、端末機器は、ＬＣＧ上にマッピングされている１つ又は複数のＲＬＣエンティティをこの第１のエンティティとしてランダムに選択することができる。
【００５９】
別の実施例として、端末機器は、ネットワーク構成の方式によりこの第１のエンティティを決定することができる。選択的に、端末機器は、このネットワーク機器により送信されたこの第１のエンティティを指示するために使用される指示情報を受信することができ、端末は、受信したネットワーク機器により送信された指示情報に基づいてこの第１のエンティティを決定する。例えば、端末機器は、このネットワーク機器により送信された無線リソース制御（ＲＬＣ）シグナリングを受信することができ、このＲＲＣシグナリングには、この指示情報が含まれる。
【００６０】
言い換えれば、ネットワーク機器は、指示情報を生成して、端末機器にこの指示情報を送信することができ、この指示情報は、パケットデータコンバージェンスプロトコルＰＤＣＰ層のデータ複製機能がアクティブ状態からオフ状態に切り替えられたとき、第１のエンティティを介して、ネットワーク機器にこのＰＤＣＰ層のプロトコルデータユニットＰＤＵを送信するように端末機器を指示するために使用される。同様に、ネットワーク機器は、この端末機器に無線リソース制御ＲＲＣシグナリングを送信することができ、このＲＲＣシグナリングには、この指示情報が含まれる。
【００６１】
図３は、本発明の実施例に係る端末機器２００の概略ブロック図である。
【００６２】
図３に示すように、この端末機器２００は、パケットデータコンバージェンスプロトコルＰＤＣＰ層のデータ複製機能がアクティブ状態からオフ状態に切り替えられたとき、このＰＤＣＰ層のプロトコルデータユニットＰＤＵを伝送するための第１のエンティティを決定するための決定ユニット２１０と、この第１のエンティティを介して、ネットワーク機器にこのＰＤＵを送信するための送受信ユニット２２０と、を備える。
【００６３】
選択的に、決定ユニット２１０は具体的に、
このデータ複製機能がアクティブ状態にあるときにこのＰＤＵに対応するＲＬＣエンティティである少なくとも１つの第２のエンティティを取得し、上記少なくとも１つの第２のエンティティにおいて、この第１のエンティティを決定するために使用される。
【００６４】
選択的に、決定ユニット２１０はより具体的に、
上記少なくとも１つの第２のエンティティにおいて、この論理チャネルグループＬＣＧ上にマッピングされたＲＬＣエンティティをこの第１のエンティティとして決定するために使用される。
【００６５】
選択的に、決定ユニット２１０はより具体的に、
上記少なくとも１つの第２のエンティティの並び順である第１の順序に従ってこの第１のエンティティを決定するために使用される。
【００６６】
選択的に、この第１の順序は、ＲＬＣエンティティに対応する論理チャネルの優先度に従って、上記少なくとも１つの第２のエンティティを高から低に順序付けて形成されたシーケンスである。
【００６７】
選択的に、決定ユニット２１０は具体的に、ネットワーク機器により送信された指示情報に基づいてこの第１のエンティティを決定するために使用され、この指示情報は、この第１のエンティティを指示するために使用される。
【００６８】
選択的に、この送受信ユニット２２０はまた、
ネットワーク機器により送信された指示情報に基づいてこの第１のエンティティを決定する前に、このネットワーク機器により送信されたこの指示情報を受信するために使用される。
【００６９】
選択的に、この送受信ユニット２２０は具体的に、
このネットワーク機器により送信された無線リソース制御ＲＲＣシグナリングを受信するために使用され、このＲＲＣシグナリングには、この指示情報が含まれる。
【００７０】
なお、本発明の実施例では、決定ユニット２１０は、プロセッサーにより実現されてもよく、送受信ユニット２２０は、送受信機により実現されてもよい。図４に示すように、端末機器３００は、プロセッサー３１０、送受信機３２０及びメモリ３３０を備えてもよい。ここで、メモリ３３０は、指示情報を記憶するために使用されることができ、プロセッサー３１０により実行されるコード、命令等を記憶するためにも使用されることができる。端末機器３００内の各コンポーネントは、バスシステムを介して互いに接続され、ここで、バスシステムは、データバスに加えて、電源バス、制御バス及び状態信号バスを含む。
【００７１】
図４に示す端末機器３００は、前述の図１及び図２の方法の実施例において端末機器により実現される各プロセスを実現することができ、重複を避けるために、ここで詳細な説明を省略する。
【００７２】
図５は、本発明の実施例に係るネットワーク機器４００の概略ブロック図である。
【００７３】
図５に示すように、このネットワーク機器４００は、生成ユニット４１０および送信ユニット４２０を備える。
【００７４】
生成ユニット４１０は、指示情報を生成するために使用され、この指示情報は、パケットデータコンバージェンスプロトコルＰＤＣＰ層のデータ複製機能がアクティブ状態からオフ状態に切り替えられたとき、第１のエンティティを介して、ネットワーク機器にこのＰＤＣＰ層のプロトコルデータユニットＰＤＵを送信するように端末機器を指示するために使用される。
【００７５】
送信ユニット４２０は、端末機器にこの指示情報を送信するために使用される。
【００７６】
選択的に、この送信ユニット４２０は具体的に、
この端末機器に無線リソース制御ＲＲＣシグナリングを送信するために使用され、このＲＲＣシグナリングには、この指示情報が含まれる。
【００７７】
なお、本発明の実施例では、生成ユニット４１０は、プロセッサーにより実現されてもよく、送信ユニット４２０は、送受信機により実現されてもよい。図６に示すように、ネットワーク機器５００は、プロセッサー５１０、送受信機５２０及びメモリ５３０を備えてもよい。ここで、メモリ５３０は、指示情報を記憶するために使用されることができ、プロセッサー５１０により実行されるコード、命令等を記憶するためにも使用されることができる。ネットワーク機器５００内の各コンポーネントは、バスシステムを介して互いに接続され、ここで、バスシステムは、データバスに加えて、電源バス、制御バス及び状態信号バスを含む。
【００７８】
図６に示す端末機器５００は、前述の図１及び図２の方法の実施例においてネットワーク機器により実現される各プロセスを実現することができ、重複を避けるために、ここで詳細な説明を省略する。
【００７９】
なお、本発明の実施例における方法の実施例は、プロセッサーに適用されるか、又はプロセッサーにより実現されることができる。プロセッサーは、信号処理能力を備える集積回路チップであってもよい。実現時に、上記方法の実施例の各ステップは、プロセッサー内のハードウェアの集積論理回路又はソフトウェアの形の命令により完了されることができる。上記プロセッサーは、汎用プロセッサー、デジタル信号プロセッサー（ｄｉｇｉｔａｌ  ｓｉｇｎａｌ  ｐｒｏｃｅｓｓｏｒ，ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）、フィールドプログラマブルゲートアレイ（ｆｉｅｌｄ  ｐｒｏｇｒａｍｍａｂｌｅ  ｇａｔｅ  ａｒｒａｙ，ＦＰＧＡ）又は他のプログラマブル論理デバイス、トランジスタ論理デバイス、個別ハードウェアコンポーネントであってもよい。本発明の実施例において開示された各方法、ステップ及び論理ブロック図を実現又は実行することができる。汎用プロセッサーは、マイクロプロセッサーであってもよく、又はこのプロセッサーは、いずれかの通常のプロセッサー等であってもよい。本発明の実施例に開示された方法のステップに関連して、直接にハードウェア復号化プロセッサーにより実行されて完了し、又は復号化プロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリに配置され、プロセッサーはメモリ内の情報を読み取り、そのハードウェアと組み合わせて上記方法のステップを完了する。
【００８０】
本発明の実施例では、メモリは、揮発性メモリ又は不揮発性メモリであってもよく、又は、揮発性メモリと不揮発性メモリの両方を含んでもよいことを理解されたい。ここで、不揮発性メモリは、読み取り専用メモリ（ｒｅａｄ−ｏｎｌｙ  ｍｅｍｏｒｙ，ＲＯＭ）、プログラマブル読み取り専用メモリ（ｐｒｏｇｒａｍｍａｂｌｅ  ＲＯＭ，ＰＲＯＭ）、消去可能なプログラマブル読み取り専用メモリ（ｅｒａｓａｂｌｅ  ＰＲＯＭ，ＥＰＲＯＭ）、電気的に消去可能なプログラマブル読み取り専用メモリ（ｅｌｅｃｔｒｉｃａｌｌｙ  ＥＰＲＯＭ，ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ，ＲＡＭ）であってもく、外部キャッシュとして使用される。制限ではなく例示的な説明により、スタティックランダムアクセスメモリ（ｓｔａｔｉｃ  ＲＡＭ，ＳＲＡＭ）、ダイナミックランダムアクセスメモリ（ｄｙｎａｍｉｃ  ＲＡＭ，ＤＲＡＭ）、同期ダイナミックランダムアクセスメモリ（ｓｙｎｃｈｒｏｎｏｕｓ  ＤＲＡＭ，ＳＤＲＡＭ）、ダブルデータレート同期ダイナミックランダムアクセスメモリ（ｄｏｕｂｌｅ  ｄａｔａ  ｒａｔｅ  ＳＤＲＡＭ，ＤＤＲ  ＳＤＲＡＭ）、拡張同期ダイナミックランダムアクセスメモリ（ｅｎｈａｎｃｅｄ  ＳＤＲＡＭ，ＥＳＤＲＡＭ）、同期接続ダイナミックランダムアクセスメモリ（ｓｙｎｃｈ  ｌｉｎｋ  ＤＲＡＭ，ＳＬＤＲＡＭ）及びダイレクトラムバスランダムアクセスメモリ（Ｄｉｒｅｃｔ  Ｒａｍｂｕｓ  ＲＡＭ，ＤＲ  ＲＡＭ）のような多くの形のＲＡＭが使用されることができる。なお、本明細書で説明されるシステム及び方法のメモリは、これら及び他の任意の適切なタイプのメモリを含むことを意図しているが、それらに限定されない。
【００８１】
なお、本発明の実施例及び添付された特許請求の範囲の用語は、特定の実施例を説明する目的で使用されるものに過ぎず、本発明の実施例を限定するものではない。
【００８２】
例えば、本発明の実施例及び添付された特許請求の範囲に記載の単数形式の「１種類」、「前記」及び「当該」は、前後の文章においてそれぞれ他の意味を含有すると明確に記載される以外には、複数の形式も含む。
【００８３】
また例えば、本発明の実施例では、第１のタイプのセルグループ及び第２のタイプのセルグループのような用語を使用することがあるが、これらのタイプのセルグループはこれらの用語に限定されない。これらの用語は、異なるタイプのセルグループを相互に区分するためのものに過ぎない。
【００８４】
また例えば、ここで使っている用語「……時」は、上下文の意味によって、「……場合」、「……と」、「決定に応じる」又は「検出に応じる」と解釈されてもよい。同様に、上下文の意味によって、「決定された場合」又は「（述べられた条件又はイベント）が検出された場合」のようなフレーズは、「決定されると」、「決定に応じる」、「（述べられた条件又はイベント）が検出されると」又は「（述べられた条件又はイベント）の検出に応じる」と解釈されてもよい。
【００８５】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の実施例の範囲を超えると考慮されるべきではない。
【００８６】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【００８７】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【００８８】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本発明の実施例の目的を実現することができる。
【００８９】
なお、本発明の実施例に係る各機能ユニットは、１つの処理ユニットに集積されていてもよく、各ユニットが単独に物理的に存在していてもよく、２つ又は２つ以上のユニットが１つのユニットに集積されていてもよい。
【００９０】
ソフトウェア機能ユニットの形で実現され、且つ独立した製品として販売又は使用される場合には、１つのコンピュータ読み取り可能な記録媒体に記憶されることができる。このような理解に基づき、本発明の実施例に係る技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の実施例に記載の方法のステップの全部又は一部を実行させる命令を若干備える。ここで、前述のの記録媒体は、ＵＳＢメモリ、モバイルハードディスク、読み取り専用メモリ、ランダムアクセスメモリ、磁気ディスク、又は光ディスク等のプログラムコードを記憶可能な様々な媒体を含む。
【００９１】
以上は、本発明の実施例に係る具体的な実施形態にすぎず、本発明の実施例の範囲はこれらに限定されない。この技術分野の当業者であれば、いずれも本発明の実施例に提示された技術範囲内で、変更又は置き換えを行うことを容易に想到し得るものがいずれも本発明の実施例の範囲に含まれる。したがって、本発明の実施例の範囲は、特許請求の範囲により示される。
【図１】
2020532888.tif 000003
【図２】
2020532888.tif 000004
【図３】
2020532888.tif 000005
【図４】
2020532888.tif 000006
【図５】
2020532888.tif 000007
【図６】
2020532888.tif 000008
【手続補正書】
【提出日】令和2年6月25日(2020.6.25)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、より具体的に、データ伝送方法、端末機器及びネットワーク機器に関する。
【背景技術】
【０００２】
パケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）層は、データリンク層に属し、制御プレーン上の無線リソース制御（Ｒａｄｉｏ  Ｒｅｓｏｕｒｃｅ  Ｃｏｎｔｒｏｌ，ＲＲＣ）メッセージと、ユーザプレーン上のインターネットプロトコル（ＩＰ）パケットとを処理するために使用される。ユーザプレーン上で、ＰＤＣＰサブ層は上位層からのＩＰデータパケットを取得した後、ＩＰデータパケットに対してヘッダ圧縮及び暗号化してから、無線リンク層制御プロトコル（Ｒａｄｉｏ  Ｌｉｎｋ  Ｃｏｎｔｒｏｌ，ＲＬＣ）サブ層に伝送することができる。
【０００３】
従来技術では、ＰＤＣＰ層のデータ複製機能がアクティブ状態にあるとき、データは複製されるため、各ＲＬＣエンティティ上のデータ量は必然的に同じである。各ＲＬＣエンティティに対応する論理チャネルに対して１つのバッファ状態報告（Ｂｕｆｆｅｒ  Ｓｔａｔｕｓ  Ｒｅｐｏｒｔ，ＢＳＲ）が報告される場合、大量のシグナリングオーバーヘッドが発生される。
【０００４】
上記問題を解決するために、ロングタームエボリューション（Ｌｏｎｇ  Ｔｅｒｍ  Ｅｖｏｌｕｔｉｏｎ，ＬＴＥ）技術は、論理チャネルグループ（Ｌｏｇｉｃａｌ  Ｃｈａｎｎｅｌ  Ｇｒｏｕｐ，ＬＣＧ）の概念を導入している。具体的に、ＰＤＣＰのデータ複製機能がアクティブ状態にある場合、ネットワーク機器は、第１のＲＬＣエンティティをあるＬＣＧ上にマッピング（即ち、第１のＲＬＣエンティティに対応する論理チャネルをあるＬＣＧ上に配置）し、第２のＲＬＣエンティティは、あるＬＣＧ上にマッピングされない（即ち、第２のＲＬＣエンティティに対応する論理チャネルはＬＣＧ上に配置しない）。つまり、第１のＲＬＣエンティティはＢＳＲ内に含まれるが、第２のＲＬＣエンティティはＢＳＲ内に含まれない。
【０００５】
しかし、上記技術手段では、ＰＤＣＰ層のデータ複製機能がオフされると、端末機器は第１のＲＬＣエンティティをオフする可能性があり、さらに、ネットワークは第１のＲＬＣエンティティを含むＢＳＲを取得できず、データ伝送の成功率が低下される。
【発明の概要】
【発明が解決しようとする課題】
【０００６】
データ伝送の成功率を効果的に向上させることができるデータ伝送方法、端末機器及びネットワーク機器が提供される。
【課題を解決するための手段】
【０００７】
第１の態様によれば、データ伝送方法が提供され、前記方法は、
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するステップと、
前記第１のエンティティを介して、ネットワーク機器に前記ＰＤＵを送信するステップと、を含む。
【０００８】
本発明の実施例では、端末機器は、ＰＤＣＰ層のデータ複製機能がアクティブ状態からオフ状態に切り替えられたとき、このＰＤＣＰ層のＰＤＵを伝送するためのＲＬＣエンティティ（ＬＣＧ上にマッピングされたＲＬＣエンティティ、又はＬＣＧ上にマッピングする必要があるＲＬＣエンティティ）を決定し、さらに、ＬＣＧ上にマッピングされたＲＬＣエンティティ上でＰＤＣＰ層のＰＤＵを伝送することができ、データ伝送の成功率を効果的に向上させることができる。
【０００９】
幾つかの可能な実現形態では、前記ＰＤＣＰ層のプロトコルデータユニットＰＤＵを伝送するための第１のエンティティを決定するステップは、
前記データ複製機能がアクティブ状態にあるときに前記ＰＤＵに対応するＲＬＣエンティティである少なくとも１つの第２のエンティティを取得するステップと、
前記少なくとも１つの第２のエンティティにおいて、前記第１のエンティティを決定するステップと、を含む。
【００１０】
幾つかの可能な実現形態では、前記少なくとも１つの第２のエンティティにおいて、前記第１のエンティティを決定するステップは、
前記少なくとも１つの第２のエンティティにおいて、前記論理チャネルグループＬＣＧ上にマッピングされたＲＬＣエンティティを前記第１のエンティティとして決定するステップを含む。
【００１１】
本発明の実施例では、端末機器は、ＰＤＣＰ層のデータ複製機能がアクティブ状態からオフ状態に切り替えられたとき、ＬＣＧ上にマッピングされたＲＬＣエンティティを決定し、さらに、ＬＣＧ上にマッピングされたＲＬＣエンティティ上でＰＤＣＰ層のＰＤＵを伝送することができ、データ伝送の成功率を効果的に向上させることができる。
【００１２】
幾つかの可能な実現形態では、前記少なくとも１つの第２のエンティティにおいて、前記第１のエンティティを決定するステップは、
前記少なくとも１つの第２のエンティティの並び順である第１の順序に従って前記第１のエンティティを決定するステップを含む。
【００１３】
本発明の実施例では、端末機器は、ＰＤＣＰ層のデータ複製機能がアクティブ状態からオフ状態に切り替えられたとき、ＬＣＧ上にマッピングする必要があるＲＬＣエンティティを決定することができ、さらに、ネットワーク機器のマッピング動作の後に、端末機器は、ＬＣＧ上にマッピングされたＲＬＣエンティティ上でＰＤＣＰ層のＰＤＵを伝送することができ、データ伝送の成功率を効果的に向上させる。
【００１４】
幾つかの可能な実現形態では、前記第１の順序は、ＲＬＣエンティティに対応する論理チャネルの優先度に従って、前記少なくとも１つの第２のエンティティを高から低に順序付けて形成されたシーケンスである。
【００１５】
幾つかの可能な実現形態では、前記ＰＤＣＰ層のプロトコルデータユニットＰＤＵを送信するための第１のエンティティを決定するステップは、
ネットワーク機器により送信された指示情報に基づいて前記第１のエンティティを決定するステップを含み、前記指示情報は、前記第１のエンティティを指示するために使用される。
【００１６】
幾つかの可能な実現形態では、前記ネットワーク機器により送信された指示情報に基づいて前記第１のエンティティを決定する前に、前記方法は、
前記ネットワーク機器により送信された前記指示情報を受信するステップをさらに含む。
【００１７】
幾つかの可能な実現形態では、前記ネットワーク機器により送信された指示情報を受信するステップは、
前記ネットワーク機器により送信された無線リソース制御ＲＲＣシグナリングを受信するステップを含み、前記ＲＲＣシグナリングには、前記指示情報が含まれる。
【００１８】
第２の態様によれば、データ伝送方法が提供され、前記方法は、
指示情報を生成するステップと、
端末機器に前記指示情報を送信するステップと、を含み、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される。
【００１９】
幾つかの可能な実現形態では、前記ネットワーク機器に指示情報を送信するステップは、
前記端末機器に無線リソース制御ＲＲＣシグナリングを送信するステップを含み、前記ＲＲＣシグナリングには、前記指示情報が含まれる。
【００２０】
第３の態様によれば、端末機器が提供され、前記端末機器は、
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するための決定ユニットと、
前記第１のエンティティを介して、ネットワーク機器に前記ＰＤＵを送信するための送受信ユニットと、を備える。
【００２１】
第４の態様によれば、端末機器が提供され、前記端末機器は、
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するためのプロセッサーと、
前記第１のエンティティを介して、ネットワーク機器に前記ＰＤＵを送信するための送受信機と、を備える。
【００２２】
第５の態様によれば、ネットワーク機器が提供され、前記端末機器は、
指示情報を生成するための生成ユニットと、
端末機器に前記指示情報を送信するための送信ユニットと、を備え、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される。
【００２３】
第６の態様によれば、ネットワーク機器が提供され、前記端末機器は、
指示情報を生成するためのプロセッサーと、
端末機器に前記指示情報を送信するための送受信機と、を備え、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される。
【００２４】
第７の態様によれば、上記第１の態様又は第２の態様の方法の実施例を実行するための命令を含むコンピュータプログラムを記憶するためのコンピュータ読み取り可能な媒体が提供される。
【００２５】
第８の態様によれば、入力インターフェース、出力インターフェース、少なくとも１つのプロセッサー、メモリを備えるコンピュータチップが提供され、前記プロセッサーは、前記メモリ内のコードを実行するために使用され、前記コードが実行されるとき、前記プロセッサーは、上記第１の態様又は第２の態様のデータ伝送方法において端末機器又はネットワーク機器により実行される各プロセスを実現することができる。
【００２６】
第９の態様によれば、前述に記載のネットワーク機器と、前述に記載の端末機器とを備える通信システムが提供される。
【図面の簡単な説明】
【００２７】
【図１】本発明の実施例に係るＰＤＣＰ層のデータ伝送方法の概略フローチャートである。
【図２】本発明の実施例に係るデータ伝送方法の概略フローチャートである。
【図３】本発明の実施例に係る端末機器の概略ブロック図である。
【図４】本発明の実施例に係る端末機器の別の概略ブロック図である。
【図５】本発明の実施例に係るネットワーク機器の概略ブロック図である。
【図６】本発明の実施例に係るネットワーク機器の別の概略ブロック図である。
【発明を実施するための形態】
【００２８】
以下、図面を参照しながら、本発明の実施例における技術手段を説明する。
【００２９】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）システム、符号分割多元接続（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ，ＧＰＲＳ）、５Ｇ通信システム、ロングタームエボリューション（Ｌｏｎｇ  Ｔｅｒｍ  Ｅｖｏｌｕｔｉｏｎ，ＬＴＥ）、ＬＴＥ時分割複信（Ｔｉｍｅ  Ｄｉｖｉｓｉｏｎ  Ｄｕｐｌｅｘ，ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）等のような様々な通信システムに適用されることが理解されるべきである。
【００３０】
本発明は、ネットワーク機器及び端末機器に関連して各実施例を説明している。
【００３１】
ここで、ネットワーク機器は、基地局又は基地局機能を有するネットワーク側機器であってもよい。例えば、ネットワーク機器は、ＧＳＭシステム又はＣＤＭＡにおける基地局（Ｂａｓｅ  Ｔｒａｎｓｃｅｉｖｅｒ  Ｓｔａｔｉｏｎ，ＢＴＳ）であってもよいし、ＷＣＤＭＡシステムにおける基地局（ＮｏｄｅＢ，ＮＢ）であってもよいし、ＬＴＥシステムにおける進化型基地局（Ｅｖｏｌｖｅｄ  Ｎｏｄｅ  Ｂ，ｅＮＢ又はｅＮｏｄｅＢ）であってもよく、又はネットワーク機器は、中継局、アクセスポイント、車載機器、ウェアラブル機器及び未来５Ｇネットワークにおけるネットワーク機器等であってもよい。
【００３２】
端末機器は、アクセス端末、ユーザ機器（Ｕｓｅｒ  Ｅｑｕｉｐｍｅｎｔ，ＵＥ）、ユーザユニット、ユーザ局、移動局、モバイルステーション、遠隔局、遠隔端末、モバイル機器、ユーザ端末、端末、無線通信機器、ユーザエージェント又はユーザ装置と称されてもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器等であってもよい。
【００３３】
新しい無線（Ｎｅｗ  Ｒａｄｉｏ，ＮＲ）技術に基づき、キャリアアグリゲーション（Ｃａｒｒｉｅｒ  Ａｇｇｒｅｇａｔｉｏｎ，ＣＡ）シーンにおいて、本発明の実施例は、パケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）層のデータ複製機能を利用してデータ複製（ｄａｔａ  ｄｕｐｌｉｃａｔｉｏｎ）伝送を行うことができるデータ伝送方法を提案する。  本発明の実施例に係るデータ伝送方法によれば、データ伝送の信頼性を効果的に向上させることができる。
【００３４】
以下、本発明の実施例におけるＣＡシーンでの複製データの伝送方法を図１を参照して簡単に紹介する。
【００３５】
図１は、本発明の実施例に係るＰＤＣＰ層のデータ伝送方法の概略フローチャートである。
【００３６】
図１に示すように、ＰＤＣＰ層で生成されるデータ（ＰＤＵ及びＰＤＵの複製データ）は、それぞれ２つの異なるＲＬＣエンティティ（ＲＬＣエンティティａ及びＲＬＣエンティティｂ）に伝送され、この２つの異なるＲＬＣエンティティは、同じメディアアクセス制御（Ｍｅｄｉａ  Ａｃｃｅｓｓ  Ｃｏｎｔｒｏｌ，ＭＡＣ）層エンティティ（ＭＡＣエンティティ）を介して異なる物理層キャリア（第１の物理層キャリア及び第２の物理層キャリア）にマッピングされる。本発明の実施例では、ＰＤＣＰ層で生成されるデータ（ＰＤＵ及びＰＤＵの複製データ）は、それぞれ２つの異なるＲＬＣエンティティを介して異なる物理層キャリア上にマッピングされ、周波数ダイバーシティ利得の目的を達成することができ、さらに、データ伝送の信頼性を向上させることができることが理解できる。
【００３７】
具体的に、各サブ層は、プロトコルデータユニットのデータに従って、受信側の指定の層に送信される。ここで、各サブ層に入って処理されないデータは、サービスデータユニット（ｓｅｒｖｉｃｅ  ｄａｔａ  ｕｎｉｔ、ＳＤＵ）と称され、サブ層で処理されて特定のフォーマットを形成するデータは、プロトコルデータユニット（Ｐｒｏｔｏｃｏｌ  Ｄａｔａ  Ｕｎｉｔ，ＰＤＵ）と称される。つまり、ＳＤＵは、上位層プロトコルから下位層プロトコルに転送される情報ユニットであり、即ち、ＳＤＵの元のデータは、プロトコルの上位層のＰＤＵである。言い換えれば、この層で形成されるＰＤＵは、即ち次の層のＳＤＵである。
【００３８】
例えば、各端末機器の各論理チャネルには、１つのＲＬＣエンティティ（ＲＬＣ  ｅｎｔｉｔｙ）があり、ＲＬＣエンティティがＰＤＣＰ層から受信したデータ、又はＰＤＣＰ層に送信するデータは、ＲＬＣ  ＳＤＵ（又はＰＤＣＰ  ＰＤＵ）と称されてもよい。ＲＬＣエンティティがＭＡＣ層から受信したデータ、又はＭＡＣ層に送信するデータは、ＲＬＣ  ＰＤＵ（又はＭＡＣ  ＳＤＵ）と称されてもよい。
【００３９】
本発明の実施例では、ＲＬＣ層は、ＰＤＣＰ層とＭＡＣ層の間に位置し、ＲＬＣ層は、サービスアクセスポイント（Ｓｅｒｖｉｃｅ  Ａｃｃｅｓｓ  Ｐｏｉｎｔ，ＳＡＰ）を介してＰＤＣＰ層と通信し、論理チャネルを介してＭＡＣ層と通信することができることが理解されるべきである。しかし、本発明の実施例はこれに限定されない。
【００４０】
本発明の実施例では、ＰＤＣＰ層のデータ複製がアクティブ状態にあるとき、ＰＤＣＰ層のＰＤＵ（即ち、ＰＤＣＰ  ＰＤＵ）及びＰＤＣＰ  ＰＤＵの複製データは、異なるＲＬＣエンティティを介して異なる物理層キャリア上にマッピングされ、データ伝送の信頼性を効果的に向上させることができる。
【００４１】
しかし、ＰＤＣＰ  ＰＤＵのデータ量とＰＤＣＰ  ＰＤＵの複製データのデータ量が同じであるため、端末機器は、ＰＤＣＰ  ＰＤＵに対応するＲＬＣエンティティ、又はＰＤＣＰ  ＰＤＵの複製データに対応するＲＬＣエンティティをあるＬＣＧ上にマッピングすればよい。つまり、１つのＲＬＣエンティティだけがバッファ状態報告（Ｂｕｆｆｅｒ  Ｓｔａｔｕｓ  Ｒｅｐｏｒｔ，ＢＳＲ）に含まれる。
【００４２】
これにより、ＰＤＣＰ層のデータ複製がオフされたとき、ネットワークが選択されたＲＬＣエンティティのＢＳＲを取得し続けるために、ＬＣＧ上にマッピングされないＲＬＣエンティティを選択してＰＤＣＰ層のＰＤＵを伝送せず、あるＬＣＧ上にマッピングされたＲＬＣエンティティを選択してこのＰＤＣＰ  ＰＤＵを伝送すべきである。つまり、端末機器がＬＣＧ上にマッピングされないＲＬＣエンティティを使用してこのＰＤＣＰ  ＰＤＵを伝送すると、データ伝送が失敗し、さらに、データ伝送の成功率が低下される可能性がある。図１を参照すると、ＰＤＣＰのデータ複製機能がアクティブ状態にある場合、ネットワーク機器が、ＲＬＣエンティティｂをＬＣＧ上にマッピングせず、ＲＬＣエンティティａをあるＬＣＧ上にマッピングする。端末機器がＲＬＣエンティティｂを選択してこのＰＤＣＰ  ＰＤＵを伝送すると、データ伝送が失敗する可能性がある。
【００４３】
したがって、本発明の実施例は、主にＣＡシーンにおいて、ＰＤＣＰ層のデータ複製機能がアクティブ状態からオフ状態に切り替えられたとき、端末機器がこのＰＤＣＰ層のＰＤＵを伝送するための、ＬＣＧ上にマッピングされたＲＬＣエンティティを如何に決定するかに対し、データ伝送の成功率を向上させることができるデータ伝送方法をさらに提案する。
【００４４】
図２は、本発明の実施例に係るデータ伝送方法１００の概略フローチャートである。
【００４５】
図２に示すように、この方法１００は、ステップ１１０及びステップ１２０を含む。
【００４６】
ステップ１１０において、ＰＤＣＰ層のデータ複製機能がアクティブ状態からオフ状態に切り替えられたとき、このＰＤＣＰ層のＰＤＵを伝送するための第１のエンティティを決定する。
【００４７】
ステップ１２０において、この第１のエンティティを介して、ネットワーク機器にこのＰＤＵを送信する。
【００４８】
具体的に、ＰＤＣＰ層のデータ複製機能がアクティブ状態からオフ状態に切り替えられたとき、端末機器は、このＰＤＣＰ層のＰＤＵを伝送するための第１のエンティティを決定し、この第１のエンティティを介して、ネットワーク機器にこのＰＤＵを送信する。
【００４９】
つまり、端末機器により決定されたこのＲＬＣエンティティは、ネットワーク機器にこのＰＤＵを送信するために使用される。言い換えれば、端末機器により決定されたこの第１のエンティティは、あるＬＣＧ上にマッピングされているＲＬＣエンティティであってもよく、ＬＣＧ上にマッピングされていないＲＬＣエンティティであってもい。なお、端末機器により決定されたこの第１のエンティティがＬＣＧ上にマッピングされていないＲＬＣエンティティである場合、端末機器は、ＰＤＣＰ層のＰＤＵを伝送する前に、まずネットワーク機器がこの第１のエンティティをＬＣＧ上にマッピングするまで待機する必要がある。
【００５０】
図１を参照すると、ＰＤＣＰのデータ複製機能がアクティブ状態にある場合、ネットワーク機器は、ＲＬＣエンティティａをあるＬＣＧ上にマッピングし、ＲＬＣエンティティｂはＬＣＧ上にマッピングしていない。例えば、端末機器がＲＬＣエンティティａをこの第１のエンティティとして選択した場合、端末機器は、直接にこのＲＬＣエンティティａを介してネットワーク機器にＰＤＣＰ層のＰＤＵを送信することができる。また例えば、端末機器がＲＬＣエンティティｂをこの第１のエンティティとして選択した場合、端末機器は、ネットワーク機器がこのＲＬＣエンティティｂをあるＬＣＧ上にマッピングするまで待機し、このＲＬＣエンティティｂを介してネットワーク機器にＰＤＣＰ層のＰＤＵを送信する必要がある。
【００５１】
以上の分析から分かるように、本発明の実施例では、端末機器は、ＰＤＣＰ層のデータ複製機能がアクティブ状態からオフ状態に切り替えられたとき、このＰＤＣＰ層のＰＤＵを伝送するためのＲＬＣエンティティ（ＬＣＧ上にマッピングされたＲＬＣエンティティ、又はＬＣＧ上にマッピングする必要があるＲＬＣエンティティ）を決定し、さらに、ＬＣＧ上にマッピングされたＲＬＣエンティティ上でＰＤＣＰ層のＰＤＵを伝送することができ、データ伝送の成功率を効果的に向上させることができる。
【００５２】
一実施例として、端末機器は、このデータ複製機能がアクティブ状態にあるときにこのＰＤＵに対応するＲＬＣエンティティである少なくとも１つの第２のエンティティを取得し、上記少なくとも１つの第２のエンティティにおいて、この第１のエンティティを決定することができる。
【００５３】
言い換えれば、本発明の実施例では、端末機器は、上記少なくとも１つの第２のエンティティを取得することができ、上記少なくとも１つの第２のエンティティには、第３のエンティティ及び第４のエンティティが含まれてもよく、ここで、この第３のエンティティは、このデータ複製機能がアクティブ状態にあるときにこのＰＤＣＰ  ＰＤＵに対応するＲＬＣエンティティであってもよく、この第４のエンティティは、このデータ複製機能がアクティブ状態にあるときのこのＰＤＣＰ  ＰＤＵの複製データに対応するＲＬＣエンティティである。ここで、本発明の実施例における第３のエンティティは、ＰＤＣＰ  ＰＤＵを伝送するためのＲＬＣエンティティ（論理チャネル）であり、第４のエンティティは、ＰＤＣＰ  ＰＤＵの複製データを伝送するためのＲＬＣエンティティ（論理チャネル）である。図１を参照すると、この第３のエンティティは、ＲＬＣエンティティａであり、この第４のエンティティは、ＲＬＣエンティティｂである。
【００５４】
例えば、端末機器は、上記少なくとも１つの第２のエンティティにおいて、この論理チャネルグループＬＣＧ上にマッピングされたＲＬＣエンティティをこの第１のエンティティとして決定することができる。本発明の実施例では、端末機器は、ＬＣＧ上にマッピングされた１つのＲＬＣエンティティを直接選択してＰＤＣＰ層のＰＤＵを伝送することができ、データ伝送の成功率を効果的に向上させることができることを理解されたい。
【００５５】
また例えば、端末機器は、第１の順序に従ってこの第１のエンティティを決定することができ、ここで、この第１の順序は、上記少なくとも１つの第２のエンティティの並び順である。この第１の順序は、ネットワーク機器により端末機器に指示されてもよいし、事前構成の方式で端末機器のメモリ内に記憶されてもよいし、プロトコル内で規定されてもよいし、ネットワーク機器および端末機器によってネゴシエートされる方式で決定されてもよいことが理解されるべきである。本発明の実施例は、特に限定をしない。
【００５６】
限定ではなく例として、この第１の順序は、ＲＬＣエンティティに対応する論理チャネルの優先度に従って、上記少なくとも１つの第２のエンティティを高から低に順序付けて形成されたシーケンスである。ここで、この第１の順序をプロトコル内に規定し、又はネットワーク機器及び端末機器内に事前に構成する。
【００５７】
本発明の実施例では、端末機器は、ＰＤＣＰ層のデータ複製機能がアクティブ状態からオフ状態に切り替えられたとき、ＬＣＧ上にマッピングする必要があるＲＬＣエンティティを決定することができ、さらに、ネットワーク機器のマッピング動作の後に、端末機器は、ＬＣＧ上にマッピングされたＲＬＣエンティティ上でＰＤＣＰ層のＰＤＵを伝送することができ、データ伝送の成功率を効果的に向上させる。
【００５８】
本発明の実施例では、端末機器によりこの論理チャネルグループＬＣＧ上にマッピングされたＲＬＣエンティティをこの第１のエンティティとして決定する際に、上記少なくとも１つの第２のエンティティにおいて１つのＲＬＣエンティティだけがＬＣＧ上にマッピングされている場合、端末機器は、このＬＣＧ上にマッピングされているＲＬＣエンティティをこの第１のエンティティとして選択することができることが理解されるべきである。上記少なくとも１つの第２のエンティティにおいて複数のＲＬＣエンティティがＬＣＧ上にマッピングされた場合、端末機器は、ＬＣＧ上にマッピングされている１つ又は複数のＲＬＣエンティティをこの第１のエンティティとしてランダムに選択することができる。
【００５９】
別の実施例として、端末機器は、ネットワーク構成の方式によりこの第１のエンティティを決定することができる。選択的に、端末機器は、このネットワーク機器により送信されたこの第１のエンティティを指示するために使用される指示情報を受信することができ、端末は、受信したネットワーク機器により送信された指示情報に基づいてこの第１のエンティティを決定する。例えば、端末機器は、このネットワーク機器により送信された無線リソース制御（ＲＬＣ）シグナリングを受信することができ、このＲＲＣシグナリングには、この指示情報が含まれる。
【００６０】
言い換えれば、ネットワーク機器は、指示情報を生成して、端末機器にこの指示情報を送信することができ、この指示情報は、パケットデータコンバージェンスプロトコルＰＤＣＰ層のデータ複製機能がアクティブ状態からオフ状態に切り替えられたとき、第１のエンティティを介して、ネットワーク機器にこのＰＤＣＰ層のプロトコルデータユニットＰＤＵを送信するように端末機器を指示するために使用される。同様に、ネットワーク機器は、この端末機器に無線リソース制御ＲＲＣシグナリングを送信することができ、このＲＲＣシグナリングには、この指示情報が含まれる。
【００６１】
図３は、本発明の実施例に係る端末機器２００の概略ブロック図である。
【００６２】
図３に示すように、この端末機器２００は、パケットデータコンバージェンスプロトコルＰＤＣＰ層のデータ複製機能がアクティブ状態からオフ状態に切り替えられたとき、このＰＤＣＰ層のプロトコルデータユニットＰＤＵを伝送するための第１のエンティティを決定するための決定ユニット２１０と、この第１のエンティティを介して、ネットワーク機器にこのＰＤＵを送信するための送受信ユニット２２０と、を備える。
【００６３】
選択的に、決定ユニット２１０は具体的に、
このデータ複製機能がアクティブ状態にあるときにこのＰＤＵに対応するＲＬＣエンティティである少なくとも１つの第２のエンティティを取得し、上記少なくとも１つの第２のエンティティにおいて、この第１のエンティティを決定するために使用される。
【００６４】
選択的に、決定ユニット２１０はより具体的に、
上記少なくとも１つの第２のエンティティにおいて、この論理チャネルグループＬＣＧ上にマッピングされたＲＬＣエンティティをこの第１のエンティティとして決定するために使用される。
【００６５】
選択的に、決定ユニット２１０はより具体的に、
上記少なくとも１つの第２のエンティティの並び順である第１の順序に従ってこの第１のエンティティを決定するために使用される。
【００６６】
選択的に、この第１の順序は、ＲＬＣエンティティに対応する論理チャネルの優先度に従って、上記少なくとも１つの第２のエンティティを高から低に順序付けて形成されたシーケンスである。
【００６７】
選択的に、決定ユニット２１０は具体的に、ネットワーク機器により送信された指示情報に基づいてこの第１のエンティティを決定するために使用され、この指示情報は、この第１のエンティティを指示するために使用される。
【００６８】
選択的に、この送受信ユニット２２０はまた、
ネットワーク機器により送信された指示情報に基づいてこの第１のエンティティを決定する前に、このネットワーク機器により送信されたこの指示情報を受信するために使用される。
【００６９】
選択的に、この送受信ユニット２２０は具体的に、
このネットワーク機器により送信された無線リソース制御ＲＲＣシグナリングを受信するために使用され、このＲＲＣシグナリングには、この指示情報が含まれる。
【００７０】
なお、本発明の実施例では、決定ユニット２１０は、プロセッサーにより実現されてもよく、送受信ユニット２２０は、送受信機により実現されてもよい。図４に示すように、端末機器３００は、プロセッサー３１０、送受信機３２０及びメモリ３３０を備えてもよい。ここで、メモリ３３０は、指示情報を記憶するために使用されることができ、プロセッサー３１０により実行されるコード、命令等を記憶するためにも使用されることができる。端末機器３００内の各コンポーネントは、バスシステムを介して互いに接続され、ここで、バスシステムは、データバスに加えて、電源バス、制御バス及び状態信号バスを含む。
【００７１】
図４に示す端末機器３００は、前述の図１及び図２の方法の実施例において端末機器により実現される各プロセスを実現することができ、重複を避けるために、ここで詳細な説明を省略する。
【００７２】
図５は、本発明の実施例に係るネットワーク機器４００の概略ブロック図である。
【００７３】
図５に示すように、このネットワーク機器４００は、生成ユニット４１０および送信ユニット４２０を備える。
【００７４】
生成ユニット４１０は、指示情報を生成するために使用され、この指示情報は、パケットデータコンバージェンスプロトコルＰＤＣＰ層のデータ複製機能がアクティブ状態からオフ状態に切り替えられたとき、第１のエンティティを介して、ネットワーク機器にこのＰＤＣＰ層のプロトコルデータユニットＰＤＵを送信するように端末機器を指示するために使用される。
【００７５】
送信ユニット４２０は、端末機器にこの指示情報を送信するために使用される。
【００７６】
選択的に、この送信ユニット４２０は具体的に、
この端末機器に無線リソース制御ＲＲＣシグナリングを送信するために使用され、このＲＲＣシグナリングには、この指示情報が含まれる。
【００７７】
なお、本発明の実施例では、生成ユニット４１０は、プロセッサーにより実現されてもよく、送信ユニット４２０は、送受信機により実現されてもよい。図６に示すように、ネットワーク機器５００は、プロセッサー５１０、送受信機５２０及びメモリ５３０を備えてもよい。ここで、メモリ５３０は、指示情報を記憶するために使用されることができ、プロセッサー５１０により実行されるコード、命令等を記憶するためにも使用されることができる。ネットワーク機器５００内の各コンポーネントは、バスシステムを介して互いに接続され、ここで、バスシステムは、データバスに加えて、電源バス、制御バス及び状態信号バスを含む。
【００７８】
図６に示す端末機器５００は、前述の図１及び図２の方法の実施例においてネットワーク機器により実現される各プロセスを実現することができ、重複を避けるために、ここで詳細な説明を省略する。
【００７９】
なお、本発明の実施例における方法の実施例は、プロセッサーに適用されるか、又はプロセッサーにより実現されることができる。プロセッサーは、信号処理能力を備える集積回路チップであってもよい。実現時に、上記方法の実施例の各ステップは、プロセッサー内のハードウェアの集積論理回路又はソフトウェアの形の命令により完了されることができる。上記プロセッサーは、汎用プロセッサー、デジタル信号プロセッサー（ｄｉｇｉｔａｌ  ｓｉｇｎａｌ  ｐｒｏｃｅｓｓｏｒ，ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）、フィールドプログラマブルゲートアレイ（ｆｉｅｌｄ  ｐｒｏｇｒａｍｍａｂｌｅ  ｇａｔｅ  ａｒｒａｙ，ＦＰＧＡ）又は他のプログラマブル論理デバイス、トランジスタ論理デバイス、個別ハードウェアコンポーネントであってもよい。本発明の実施例において開示された各方法、ステップ及び論理ブロック図を実現又は実行することができる。汎用プロセッサーは、マイクロプロセッサーであってもよく、又はこのプロセッサーは、いずれかの通常のプロセッサー等であってもよい。本発明の実施例に開示された方法のステップに関連して、直接にハードウェア復号化プロセッサーにより実行されて完了し、又は復号化プロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリに配置され、プロセッサーはメモリ内の情報を読み取り、そのハードウェアと組み合わせて上記方法のステップを完了する。
【００８０】
本発明の実施例では、メモリは、揮発性メモリ又は不揮発性メモリであってもよく、又は、揮発性メモリと不揮発性メモリの両方を含んでもよいことを理解されたい。ここで、不揮発性メモリは、読み取り専用メモリ（ｒｅａｄ−ｏｎｌｙ  ｍｅｍｏｒｙ，ＲＯＭ）、プログラマブル読み取り専用メモリ（ｐｒｏｇｒａｍｍａｂｌｅ  ＲＯＭ，ＰＲＯＭ）、消去可能なプログラマブル読み取り専用メモリ（ｅｒａｓａｂｌｅ  ＰＲＯＭ，ＥＰＲＯＭ）、電気的に消去可能なプログラマブル読み取り専用メモリ（ｅｌｅｃｔｒｉｃａｌｌｙ  ＥＰＲＯＭ，ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ，ＲＡＭ）であってもく、外部キャッシュとして使用される。制限ではなく例示的な説明により、スタティックランダムアクセスメモリ（ｓｔａｔｉｃ  ＲＡＭ，ＳＲＡＭ）、ダイナミックランダムアクセスメモリ（ｄｙｎａｍｉｃ  ＲＡＭ，ＤＲＡＭ）、同期ダイナミックランダムアクセスメモリ（ｓｙｎｃｈｒｏｎｏｕｓ  ＤＲＡＭ，ＳＤＲＡＭ）、ダブルデータレート同期ダイナミックランダムアクセスメモリ（ｄｏｕｂｌｅ  ｄａｔａ  ｒａｔｅ  ＳＤＲＡＭ，ＤＤＲ  ＳＤＲＡＭ）、拡張同期ダイナミックランダムアクセスメモリ（ｅｎｈａｎｃｅｄ  ＳＤＲＡＭ，ＥＳＤＲＡＭ）、同期接続ダイナミックランダムアクセスメモリ（ｓｙｎｃｈ  ｌｉｎｋ  ＤＲＡＭ，ＳＬＤＲＡＭ）及びダイレクトラムバスランダムアクセスメモリ（Ｄｉｒｅｃｔ  Ｒａｍｂｕｓ  ＲＡＭ，ＤＲ  ＲＡＭ）のような多くの形のＲＡＭが使用されることができる。なお、本明細書で説明されるシステム及び方法のメモリは、これら及び他の任意の適切なタイプのメモリを含むことを意図しているが、それらに限定されない。
【００８１】
なお、本発明の実施例及び添付された特許請求の範囲の用語は、特定の実施例を説明する目的で使用されるものに過ぎず、本発明の実施例を限定するものではない。
【００８２】
例えば、本発明の実施例及び添付された特許請求の範囲に記載の単数形式の「１種類」、「前記」及び「当該」は、前後の文章においてそれぞれ他の意味を含有すると明確に記載される以外には、複数の形式も含む。
【００８３】
また例えば、本発明の実施例では、第１のタイプのセルグループ及び第２のタイプのセルグループのような用語を使用することがあるが、これらのタイプのセルグループはこれらの用語に限定されない。これらの用語は、異なるタイプのセルグループを相互に区分するためのものに過ぎない。
【００８４】
また例えば、ここで使っている用語「……時」は、上下文の意味によって、「……場合」、「……と」、「決定に応じる」又は「検出に応じる」と解釈されてもよい。同様に、上下文の意味によって、「決定された場合」又は「（述べられた条件又はイベント）が検出された場合」のようなフレーズは、「決定されると」、「決定に応じる」、「（述べられた条件又はイベント）が検出されると」又は「（述べられた条件又はイベント）の検出に応じる」と解釈されてもよい。
【００８５】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の実施例の範囲を超えると考慮されるべきではない。
【００８６】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【００８７】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【００８８】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本発明の実施例の目的を実現することができる。
【００８９】
なお、本発明の実施例に係る各機能ユニットは、１つの処理ユニットに集積されていてもよく、各ユニットが単独に物理的に存在していてもよく、２つ又は２つ以上のユニットが１つのユニットに集積されていてもよい。
【００９０】
ソフトウェア機能ユニットの形で実現され、且つ独立した製品として販売又は使用される場合には、１つのコンピュータ読み取り可能な記録媒体に記憶されることができる。このような理解に基づき、本発明の実施例に係る技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の実施例に記載の方法のステップの全部又は一部を実行させる命令を若干備える。ここで、前述のの記録媒体は、ＵＳＢメモリ、モバイルハードディスク、読み取り専用メモリ、ランダムアクセスメモリ、磁気ディスク、又は光ディスク等のプログラムコードを記憶可能な様々な媒体を含む。
【００９１】
以上は、本発明の実施例に係る具体的な実施形態にすぎず、本発明の実施例の範囲はこれらに限定されない。この技術分野の当業者であれば、いずれも本発明の実施例に提示された技術範囲内で、変更又は置き換えを行うことを容易に想到し得るものがいずれも本発明の実施例の範囲に含まれる。したがって、本発明の実施例の範囲は、特許請求の範囲により示される。
【手続補正２】
【補正対象書類名】特許請求の範囲
【補正対象項目名】全文
【補正方法】変更
【補正の内容】
【特許請求の範囲】
【請求項１】
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するステップと、
前記第１のエンティティを介して、ネットワーク機器に前記ＰＤＵを送信するステップと、を含む
ことを特徴とするデータ伝送方法。
【請求項２】
前記ＰＤＣＰ層のプロトコルデータユニットＰＤＵを伝送するための第１のエンティティを決定するステップは、
前記データ複製機能がアクティブ状態にあるときに前記ＰＤＵに対応するＲＬＣエンティティである少なくとも１つの第２のエンティティを取得するステップと、
前記少なくとも１つの第２のエンティティにおいて、前記第１のエンティティを決定するステップと、を含む
ことを特徴とする請求項１に記載のデータ伝送方法。
【請求項３】
前記少なくとも１つの第２のエンティティにおいて、前記第１のエンティティを決定するステップは、
前記少なくとも１つの第２のエンティティにおいて、前記論理チャネルグループＬＣＧ上にマッピングされたＲＬＣエンティティを前記第１のエンティティとして決定するステップを含む
ことを特徴とする請求項２に記載のデータ伝送方法。
【請求項４】
前記少なくとも１つの第２のエンティティにおいて、前記第１のエンティティを決定するステップは、
前記少なくとも１つの第２のエンティティの並び順である第１の順序に従って前記第１のエンティティを決定するステップを含む
ことを特徴とする請求項２に記載のデータ伝送方法。
【請求項５】
前記第１の順序は、ＲＬＣエンティティに対応する論理チャネルの優先度に従って、前記少なくとも１つの第２のエンティティを順序付けて形成されたシーケンスである
ことを特徴とする請求項４項に記載のデータ伝送方法。
【請求項６】
前記ＰＤＣＰ層のプロトコルデータユニットＰＤＵを送信するための第１のエンティティを決定するステップは、
ネットワーク機器により送信された指示情報に基づいて前記第１のエンティティを決定するステップを含む
ことを特徴とする請求項１に記載のデータ伝送方法。
【請求項７】
前記ネットワーク機器により送信された前記指示情報を受信するステップをさらに含み、
前記指示情報は、前記第１のエンティティを指示するために使用される
ことを特徴とする請求項６に記載のデータ伝送方法。
【請求項８】
前記ネットワーク機器により送信された指示情報を受信するステップは、
前記ネットワーク機器により送信された無線リソース制御ＲＲＣシグナリングを受信するステップを含み、
前記ＲＲＣシグナリングには、前記指示情報が含まれる
ことを特徴とする請求項７に記載のデータ伝送方法。
【請求項９】
指示情報を生成するステップと、
端末機器に前記指示情報を送信するステップと、を含み、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される
ことを特徴とするデータ伝送方法。
【請求項１０】
前記ネットワーク機器に指示情報を送信するステップは、
前記端末機器に無線リソース制御ＲＲＣシグナリングを送信するステップを含み、
前記ＲＲＣシグナリングには、前記指示情報が含まれる
ことを特徴とする請求項９に記載のデータ伝送方法。
【請求項１１】
パケットデータコンバージェンスプロトコルＰＤＣＰ層のデータ複製機能がアクティブ状態からオフ状態に切り替えられたとき、前記ＰＤＣＰ層のプロトコルデータユニットＰＤＵを伝送するための第１のエンティティを決定するための決定ユニットと、
前記第１のエンティティを介して、ネットワーク機器に前記ＰＤＵを送信するための送受信ユニットと、を備える
ことを特徴とする端末機器。
【請求項１２】
前記決定ユニットは
前記データ複製機能がアクティブ状態にあるときに前記ＰＤＵに対応するＲＬＣエンティティである少なくとも１つの第２のエンティティを取得し、
前記少なくとも１つの第２のエンティティにおいて、前記第１のエンティティを決定するように構成され、
任意選択で、前記少なくとも１つの第２のエンティティにおいて、前記第１のエンティティを決定することは、
前記少なくとも１つの第２のエンティティにおいて、前記論理チャネルグループＬＣＧ上にマッピングされたＲＬＣエンティティを前記第１のエンティティとして決定すること、または、
前記少なくとも１つの第２のエンティティの並び順である第１の順序に従って前記第１のエンティティを決定すること、または、
ネットワーク機器により送信された指示情報に基づいて前記第１のエンティティを決定することを含み、
任意選択で、前記第１の順序は、ＲＬＣエンティティに対応する論理チャネルの優先度に従って、前記少なくとも１つの第２のエンティティを高から低に順序付けて形成されたシーケンスである
ことを特徴とする請求項１１に記載の端末機器。
【請求項１３】
前記送受信ユニットはまた、
前記ネットワーク機器により送信された前記指示情報を受信し、前記指示情報は、前記第１のエンティティを指示するために使用され、
任意選択で、前記送受信ユニットは、
前記ネットワーク機器により送信された無線リソース制御ＲＲＣシグナリングを受信するために使用され、前記ＲＲＣシグナリングには、前記指示情報が含まれる
ことを特徴とする請求項１２に記載の端末機器。
【請求項１４】
指示情報を生成するための生成ユニットと、
端末機器に前記指示情報を送信するための送信ユニットと、を備え、
前記指示情報は、パケットデータコンバージェンスプロトコルＰＤＣＰ層のデータ複製機能がアクティブ状態からオフ状態に切り替えられたとき、第１のエンティティを介して、ネットワーク機器に前記ＰＤＣＰ層のプロトコルデータユニットＰＤＵを送信するように端末機器を指示するために使用される
ことを特徴とするネットワーク機器。
【請求項１５】
前記送信ユニットは
前記端末機器に無線リソース制御ＲＲＣシグナリングを送信するために使用され、前記ＲＲＣシグナリングには、前記指示情報が含まれる
ことを特徴とする請求項１４に記載のネットワーク機器。
【手続補正３】
【補正対象書類名】図面
【補正対象項目名】全図
【補正方法】変更
【補正の内容】
【図１】
2020532888.tif 000009
【図２】
2020532888.tif 000010
【図３】
2020532888.tif 000011
【図４】
2020532888.tif 000012
【図５】
2020532888.tif 000013
【図６】
2020532888.tif 000014
【国際調査報告】
2020532888.tif 000015
2020532888.tif 000016
2020532888.tif 000017
2020532888.tif 000018